(57)【特許請求の範囲】
【請求項１】
エレベータ通路（１１）を備えたエレベータ設備の制御機構を有する通路ドアのドア・フレーム（１４）であって、
制御ユニット（１８）がドア・フレーム（１４）のチャンバ（１６）内に配置され、
制御ユニット（１８）がチャンバ（１６）内に固定して取り付けられ、
チャンバ（１６）が、サービスを目的とした制御ユニットへのアクセスを可能とするための階（９）側に開いている外側開口を有し、カバー(１７)が外側開口を閉鎖している作動位置から、チャンバ（１６）に自由にアクセスできるサービス位置に移動でき、
チャンバ（１６）は、前記外側開口を介したサービスよりも大規模なメンテナンス作業若しくは制御ユニットの交換のためのエレベータ通路（１１）の内部に面する内側開口（１６．２１）を有し、この内側開口を通してチャンバ（１６）に自由にアクセスでき、
内側開口（１６．２１）が外側開口より大きいことを特徴とする、ドア・フレーム。
【請求項２】
サービス位置にあるカバー（１７）は、開くか、またはドア・フレーム部材（１４.１）から取り外しされることを特徴とする、請求項１に記載のドア・フレーム（１４）。
【請求項３】
チャンバ（１６）の外側開口はドア・フレーム（１４）の垂直部分を構成する垂直ドア・フレーム部材（１４．１）に配置され、および／または外側開口は、垂直ドア・フレーム部材（１４．１）の壁面（１６．３）に配置され、該壁面は、エレベータ通路ドアの、ドア・リーフ（１２．１、１２．２）を横切る方向に配置されていることを特徴とする、請求項１または２に記載のドア・フレーム（１４）。
【請求項４】
作動位置におけるカバー（１７）はドア・フレーム部材（１４．１）の壁面（１６．３）内に一体化され、面一であることを特徴とする、請求項１から３のいずれか一項に記載のドア・フレーム（１４）。
【請求項５】
カバー（１７）は取り外し状態において、開いたエレベータ通路（１１）の正面に水平または対角方向に横切って位置付けされる安全防壁として利用できるように構成されていることを特徴とする、請求項１から４のいずれか一項に記載のドア・フレーム（１４）。
【請求項６】
乗場の操作パネル（２０）が、外側開口を有するドア・フレーム部材（１４．１）の壁面（１６．３）を横切る方向に向く壁面（１６．１）に設けられていることを特徴とする、請求項１から５のいずれか一項に記載のドア・フレーム（１４）。
【請求項７】
チャンバ（１６）の内側開口（１６．２１）はカバー（１９）を有し、このカバーは内側開口を閉鎖している作動位置から、チャンバ（１６）に自由にアクセスできるメンテナンス位置に移動でき、内側開口（１６．２１）のカバー（１９）は少なくとも一部を覆い、難燃性または耐火性材料であることを特徴とする、請求項１から６のいずれか一項に記載のドア・フレーム（１４）。
【請求項８】
エレベータ設備の制御ユニット（１８）にアクセスする方法であって、この制御ユニット（１８）はドア・フレーム部材（１４．１）内のチャンバ（１６）内部に配置され、
このチャンバは、サービスを目的とした制御ユニットへのアクセスを可能とするための階側に開いている外側開口を有し、該外側開口はカバーで閉鎖でき、
外側開口は、ドア・フレーム部材（１４．１）の、通路ドアのドア・リーフ（１２．１、１２．２）を横切る方向に配置された壁面（１６．３）に配置され、
チャンバ（１６）は、前記外側開口を介したサービスよりも大規模なメンテナンス作業若しくは制御ユニットの交換のためのエレベータ通路（１１）の内部に面する内側開口（１６．２１）を有し、内側開口（１６．２１）が外側開口より大きく、
制御ユニットにアクセスするために、カバー（１７）を作動位置からサービス位置に移動することを特徴とする、制御ユニット（１８）にアクセスする方法。
【請求項９】
制御ユニットにアクセスするために、
エレベータ・ケージをその階（９）またはその階（９）と直ぐ下の階の間に移動して、エレベータ・ケージの屋根部または作業表面を作業に適正な高さに置くようにし、
エレベータ設備への電力供給を遮断するか、またはエレベータ設備をサービス状態に移行し、
ドア・リーフ（１２．１、１２．２）を開き、
エレベータ・ケージの屋根部または作業表面上でのメンテナンス作業を可能にして、内側開口（１６．２１）を利用してチャンバ（１６）内の制御ユニット（１８）にアクセスすることを特徴とする、請求項８に記載の制御ユニット（１８）にアクセスする方法。
【発明の詳細な説明】
【技術分野】
【０００１】
本発明は、請求項１の前文部分によるエレベータ通路の制御機構を備えたエレベータ通路ドアのドア・フレーム、ならびに請求項９の前文部分による制御ユニットにアクセスする方法に関する。
【背景技術】
【０００２】
本発明の意味における制御機構は実質的に、制御ユニットと制御ユニットを取付け、保護するための手段とを含む。またこの制御ユニットは実質的に、エレベータ設備を制御および／または調節するのに必要なサブアセンブリを含む。さらに、このような制御ユニットは、エレベータ設備をサービスおよび診断するのに必要なインタフェースおよび入力モジュールを含む。したがって、制御ユニットはエレベータ設備のサービスまたはメンテナンスの目的のためにアクセスできる必要がある。
【０００３】
従来は、エレベータ設備の制御ユニットは一般に、エレベータ設備の駆動部と一体にして、別個の空間または領域内に収納されていた。この理由は、このような制御ユニットは、比較的大きい、それぞれの構造形態に依存していたからである。
【０００４】
別個の空間は、駆動部がエレベータ通路自身内に配置されることが多いため、現在のエレベータ・システムでは不必要である。この種のエレベータ設備の場合においては、有利には、制御ユニットはエレベータ通路クロージャの領域内に配置される。欧州特許第０６８０９２１号明細書はエレベータ通路の壁面内の対応する制御ユニット装置を開示している。この装置は、固有の制御ボックスをエレベータ通路ドア・フレームに取り付けるため、大きい空間を必要とする。この制御ボックスは通常、建物の１つの階だけに必要とされるため、この階に対して特殊構造および美的問題の解決を必要とする。これは特に、現在の制御ユーザは少数であり、電力消費ならびに発生熱は低減でき、したがって、例えば空間を占有する通気設備は必要とされない、という事実により可能になる。
【０００５】
好ましくは、制御ユニットはドア・フレームのチャンバ内に収納される。このようなチャンバは、例えば、通路ドアのドア・フレーム部材により、通常は垂直なドア・ポスト部材により形成される。ドア・ポスト部材は、チャンバの範囲を定める壁面を有する。これら壁面の１つは、エレベータ通路の外側、したがって建物の階に開いている外側開口を有する。この外側開口を有するドア・フレーム部材の壁面は通路ドアのドア・リーブにほぼ並列に位置する。同壁面は一般に、階のパネルが配置されている通路を有し、この通路を介して、エレベータ・システムの利用者はエレベータ・ケージを呼ぶことができる。
【０００６】
欠点は、組み込まれた制御ユニットを有するドア・フレーム部材は、制御ユニットを必要としない残りの階のドア・フレーム部材と見た目で異なり、異なる組込み階のパネルを形成する。全階で同階のパネルを同時に使用可能にする制御ユニットの配置の方法が望ましい。
【０００７】
国際公開第０３／０７２４７８号パンフレットでは、ドア・フレーム内に対応するエネルギー供給ユニットを組み込むことを示している。エネルギー供給ユニットはメンテナンスのために、該当する階から、回転可能な蓋を介してアクセスできる。この機構の欠点は、例えば装置の交換などの全作業がこれら開口を介して実施できるように、ドア・フレームに設けられた開口が大きく作られていることである。これにより、大きいサイズのカバーを余儀なくされ、コストが上昇し、見栄えも悪い。
【０００８】
エレベータ設備が通常運転されているとき、制御ユニット自体は外から見えない。制御ユニットは作動位置に配置される。制御ユニットへのアクセスは、サービスまたはメンテナンス作業の機会に必要とされる。エレベータ設備のサービス作業の機会においては、エレベータ設備の制御部にアクセスしなければならず、制御ユニットはサービス位置に移動される。この状態では制御ユニットは目に見える必要があり、エレベータ設備のサービスに必要な作業、例えば移動コマンドの初期化、状態データの問合せまたはスイッチの操作などは実行可能でなければならない。さらに重要なメンテナンス作業、例えば制御ユニットの部品の交換などが要求される場合、適度な度合いのアクセスが保証されなければならない。サービス作業とメンテナンス作業の差はサービスの目的に対し、制御ユニットに制限されたアクセスが要求され、その目的に対しては大きい空間は必要としないということにある。これに反し、特定環境における制御ユニットのメンテナンスの機会においては、メンテナンス目的に対して、対応する大きいアクセス空間が部品に必要となる。
【０００９】
チャンバの外側開口はカバーで閉鎖できる。カバーは、例えば、ドア・リーフ（ｄｏｏｒ  ｌｅａｆ）のように回転可能である。作動位置においては、カバーは外側開口を閉鎖し、サービス位置においては、カバーは外側開口を開放し、したがって、サービスおよびメンテナンスの目的に対して制御ユニットのチャンバにアクセスできる。公知の方法においては、制御ユニットは、例えば、外側開口のカバーに接続され、その結果、容易に回転する。
【００１０】
この方法の欠点は、サービスおよびメンテナンス作業は外側開口を通して実施する必要があるため、このようなカバーは大きく、したがって目立つ。
【００１１】
以下の点は別の欠点と見なされるものである。エレベータ設備の制御ユニットは一般に、主電源電圧または３相電流を供給される。制御ユニットが回転可能カバーを有するドア・フレーム内に配置されるか、またはこのカバーに固定される場合、本線ケーブルが破壊または損傷を受ける危険性が存在する。これにより、危険な状態が発生する。最も望ましくない場合では、ドア・フレームまたは通路ドアが本線電圧と導通状態になる。
【００１２】
さらに、特殊なフレキシブル・ケーブルおよび制御ユニットの関連の接続部材の使用はコストを上昇させる。
【特許文献１】欧州特許第０６８０９２１号明細書
【特許文献２】国際公開第０３／０７２４７８号パンフレット
【発明の開示】
【発明が解決しようとする課題】
【００１３】
本発明の目的は以下である。
−本文の序文に述べた種類の制御機構、制御ユニットを有するドア・フレームを提案する。この制御ユニットは、従来機構の制御ユニットと比較して、メンテナンスおよび取付けが簡単で、目障りでなく、製造コストが低い。
−ドア・フレーム内のこのような制御ユニットにアクセスする方法を示す。
【課題を解決するための手段】
【００１４】
本発明によれば、これらの目的は、例えば、独立請求項１の形態による制御機構を有するドア・フレームに対して、および独立請求項９の形態による方法に対して適合する。
【００１５】
本発明による制御機構を有するドア・フレーム、および本発明による方法の好ましい成果は、それぞれの従属請求項で定義される。
【００１６】
本発明によれば、制御ユニットは、エレベータ設備の通路ドアのドア・フレーム内、またはドア・フレームのチャンバ内に配置される。チャンバは外側開口を有し、この開口により該当する階からアクセスできる。外側開口は、サービスを目的とした、チャンバとその内部に配置された制御ユニットへのアクセスを可能にする。外側開口はカバーを備え、このカバーは閉鎖状態では制御ユニットへのアクセスを防止し、あるいは、開放状態（カバーのサービス位置）では制御ユニットへのアクセスを可能にする。
【００１７】
有利には、外側開口は壁面に配置され、ドア・フレームの通路ドアのドア・リーフを横切る方向に配置される。この場合、有利には、最適な利用はドア・フレームのサイズにより決定でき、付随するカバーは見た目に良い位置に取り付けできる。
【００１８】
チャンバは内側開口を有し、この開口により、エレベータ通路の内部から制御ユニットにアクセスできる。内側開口は十分大きくして、制御ユニットの個々の部品または制御ユニット全体を取外しおよび取付けできるようにされる。この実施形態の利点は、外側開口および付随するカバーを小さくでき、それにより、カバーの有利な見た目の形状が達成される場合に実現する。さらに、移動部品によるケーブル・ガイドの無いことが必要であり、それにより、供給配線の妨害または切断の危険性が無くなる。サービスおよびメンテナンスの目的のためのアクセスは最適方法を保証される。
【００１９】
内部に制御ユニットのチャンバを配置するドア・フレーム部材は、好ましくは、垂直ドア部材またはドア・ポスト部材である。これが有利な理由は、ドア・ポスト部材に簡単にアクセスできることである。
【００２０】
チャンバのカバーの構成を、取付け状態または作動位置において、カバーをドア・ポスト素材の壁面内に一体化して、この壁面と面一になるようにすることが有利であるとわかっている。したがって、カバーおよび制御ユニットは一体化して、見た目を良くする。
【００２１】
有利には、階のパネルは、カバーを有する外側開口がある壁面を横切る方向に配置されたドア・フレーム部材の壁面に配置される。好ましくは、階のパネルは制御ユニットの上側の領域に配置される。
【００２２】
本発明は実施形態の例および図面を参照して、以下に詳細に述べる。
【発明を実施するための最良の形態】
【００２３】
図１は、該当する階９にいる利用者に提供されるエレベータ設備の態様を示す。エレベータ設備が設置された建物（詳細に図示していない）は、図１において破線で示されたエレベータ通路１１を囲む建物壁１０を有する。
【００２４】
図１で明らかなように、エレベータ通路１１はエレベータ通路クロージャにより、床面９から分離されている。エレベータ通路クロージャは、基本的に２つのドア・リーフ１２．１、１２．２およびドア・フレーム１４で構成されるエレベータ通路ドアを備える。ドア・リーフ１２．１、１２．２は水平方向に、詳細には、図１に示す直交３次元座標系（さらにＹ、Ｚ軸を有する）のＸ軸方向に移動できる。ドア・フレーム１４は３つのドア・フレーム部材、すなわち、ドア・ポストを形成し、かつＺ軸に平行な２つの側面の垂直ドア・フレーム部材１４．１、１４．２と、上側の、Ｘ軸に平行な水平ドア・フレーム部材１４．３を備える。
【００２５】
内側チャンバ１６は垂直ドア・フレーム部材１４．１により形成される。垂直ドア・フレーム部材１４．１はいくつかの壁面、詳細には外側正面壁面１６．１、内側正面壁面１６．２および外側側面壁面１６．３を有する。本発明の実施形態の例においては、外側正面壁面１６．１および内側正面壁面１６．２はＸ軸およびＺ軸で形成される平面に平行であり、外側側面壁面１６．３はＹ軸およびＺ軸で形成される平面に平行である。外側正面壁面１６．１および外側側面壁面１６．３は床面９に面し、内側壁面１６．２はエレベータ通路１１の内側の方向に面している。
【００２６】
外側側面壁面１６．３はチャンバ１６にアクセスできる外側開口を有する。この外側開口は任意の所望の適切なサイズにでき、詳細には、図１に示すように、側面壁面１６．３の最大部分を超えてもよい。
【００２７】
外側開口はカバー１７で閉鎖される。エレベータ設備が作動準備完了しているか、または作動中である場合、カバー１７は外側開口を閉鎖するカバーの作動位置に取付けられる。エレベータ設備がサービス中である場合、カバー１７はカバーのサービス位置にあり、カバーは完全に取り外される（すなわち、ドア・フレーム部材１４．１に接触していない）。代替方法では、カバーはヒンジにより固定することもできる。このため、アクセスの容易性は多少損なわれるが、カバーは固定されるために損害に対して安全であり、その結果、損傷の危険性も低下する。
【００２８】
好ましくは、図２に示すように、カバー１７は外側側面壁面１６．３を同一平面または面一に配置され、それにより破壊から守られ、美的な形態を維持するように取り付けられる。
【００２９】
制御機構の制御ユニット１８はチャンバ１６内の固定位置に配置される。制御ユニット１８は、カバー１７が取り外されている場合でも、ケージ１６の内部の所定位置に維持される。これにより、制御ユニットをカバー１７に取り付けた場合に必要な、可動（ケーブル）接続を備える必要がなくなる。制御ユニット１８としては、ドア・ポスト１４．１内への設置に対する設置サイズおよび熱節減の点から適切である従来の制御ユニットを利用できる。
【００３０】
実施形態の有利な形態においては、制御ユニットは１つ以上の、以下の部材を含む。
−４００／２３０Ｖ交流電圧または別の構内電圧主電源への接続を有する主電源電流装置
−エレベータ制御のハードウェアおよびソフトウェア（例えば、論理素子およびインタフェースを有するメイン・コンピュータ）
−電話警報システムおよび／または構内通信設備（例えば、サービス・コールまたは緊急呼出しを発生できる）
−緊急退避に利用される装置
【００３１】
制御ユニットに加えて、制御機構は以下を備える。
−制御ユニットをチャンバ内に設置するための固定手段
−階のパネルへの電流供給および接続をし、かつエレベータ駆動部への接続をするケーブル
−カバー１７
−任意の、カバー１７の電気的または電磁気的監視
−任意の、チャンバ照明
【００３２】
正面外側壁面１６．１は、階のパネル２０を取り付ける区画部分を含み、好ましくは、エレベータ設備の全階に同一制御パネルを使用できる。
【００３３】
内側正面壁面１６．２は、側面壁面１６．１の外側開口より大きい内側開口１６．２１を有することにより、制御ユニット１８への最適アクセスを可能にして、例えば、より大規模なメンテナンス作業、または場合によっては、制御ユニット１８の交換を可能にする。この目的のために、エレベータ・ケージ（図示していない）を２つの階の間の適切な高さまで移動して、作業者がエレベータ・ケージの屋根部または作業表面上に立つかまたはしゃがみこんで、必要な作業を実施できるようにすることができる。
【００３４】
図３に示す別の形態では、内側正面壁面１６．２の内側開口１６．２１はカバー１９を用いてエレベータ通路１１から閉鎖できる。カバー１９は内側開口１６．２１の少なくとも一部を覆い、これにより、制御ユニット１８を埃および偶発的接触から保護する。有利には、カバーは難燃性または耐火性材料で構成される。エレベータ設備が作動準備完了しているか、または作動中である場合、カバー１９は作動位置にあり、内側開口１６．２１を閉鎖する。エレベータ設備がサービスされる場合、カバー１９はカバーのメンテナンス位置にあり、チャンバ１６に自由にアクセスできる。
【００３５】
制御ユニットのメンテナンスに対しては、エレベータ・ケージはその階９と直ぐ下の階の間に移動して、エレベータ・ケージの屋根部または作業表面を作業に適正な高さに置くようにする。エレベータ設備への電力供給が遮断されるか、またはエレベータ設備がメンテナンス状態に切換えられると、ドア・リーフ１２．１、１２．２は機械的に開かれる。このとき、作業者はエレベータ・ケージの屋根部または作業表面上を歩行可能になり、カバー１９を取り外し、必要なメンテナンス作業を実施できるようになる。
【００３６】
本発明の実施形態の別の形態においては、制御ユニットはいくつかの部分に分割され、それら部分は異なる階のドア・フレーム内にそれぞれ配置される。ただし、各部分の配置は、図１から３に示す配置に類似して実施される。
【００３７】
本発明の有利な実施形態においては、カバー１７は安全防壁として形成され、それにより、通路ドアを点検目的で開く必要があるとき、カバーは通路ドア開口の機械的安全を保証する。この目的のために、カバー１７は、開いて取外した後、図４に概略的に図示するように、開いたエレベータ通路１１の正面に水平または対角線方向に横切って位置付けできる。カバーはこの目的に対して必要な強度を有し、一般に危険の表示色を塗装され、これら表示はカバー１７の作動状態位置では目に見えないように取り付けられる。
【００３８】
本発明の実施形態の別の形態においては、カバー１７は電気的または電磁的に監視され、カバー１７を開き取り外すと、サービス作業に対する交換は自動的になされる。さらに、この場合、制御ユニットは自動的に照明することができる。好ましくは、対応する照明ユニットはチャンバ内のドア・ポストに置かれる。
【００３９】
本発明の実施形態の別の形態においては、外側開口はドア１４の外側壁面１６．１に配置される。この形態の構成は、例えば、階のパネルをドア・フレーム近くの壁面に置く場合に用いることができる。
【００４０】
別の変形形態は本発明の説明の知識を基に実現できる。エレベータの専門家は有利な実施形態を理解できる。したがって、例えば、専門家は、例えばスイッチにより内側開口１６．２１またはカバー１９を監視するか、または、ケージの作業表面をケージ自体で形成し、内側開口１６．２１へのアクセスを、ケージ壁面を回転できる部品を備えることにより可能にする。
【図面の簡単な説明】
【００４１】
【図１】本発明による制御機構を備えたエレベータ通路クロージャの概略図である。
【図２】本発明による制御機構の水平断面図である。
【図３】本発明による制御機構の水平断面図であり、内部開口はカバーされている図である。
【図４】開いた通路ドアの正面図であり、背後にエレベータ通路があり、本発明の有利な実施形態により、カバーを安全防壁として使用できることを示す図である。
【符号の説明】
【００４２】
９  床面
１０  建物壁
１１  エレベータ通路
１２．１、１２．２  ドア・リーフ
１４  ドア・フレーム
１４．１、１４．２  垂直ドア・フレーム部材
１４．３  水平ドア・フレーム部材
１６  内側チャンバ
１６．１  外側正面壁面
１６．２  内側正面壁面
１６．３  外側側面壁面
１６．２１  内側開口
１７  カバー
１８  制御ユニット
１９  チャンバ
２０  階のパネル
【図１】
0005398946.tif 000002
【図２】
0005398946.tif 000003
【図３】
0005398946.tif 000004
【図４】
0005398946.tif 000005